(57)【要約】      （修正有）【課題】ケーシング内にノイズフィルタを収容できないようなときに、ノイズフィルタをケーシングの外側で適切な位置に配置する誘導加熱調理器を提供する。【解決手段】誘導加熱調理器１０は、調理容器を載置するトッププレート１２を上面に有するケーシング１１と、ケーシング１１内に設けられて調理容器を加熱する誘導磁界を発生させる誘導加熱コイルと、誘導加熱コイルに高周波電流を供給する高周波電流供給回路と、ケーシング１１の後部から導出されて、外部電源から高周波電流供給回路に電力を供給する電源コード２３と、高周波電流供給回路で発生して電源コード２３から出るノイズを抑制するノイズフィルタ２４とを備えた誘導加熱調理器であって、ケーシング１１の後部外側にはケーシング１１の外壁に接触した状態でノイズフィルタ２４を配設した。【選択図】図３
2019023978.tif 000002
【特許請求の範囲】
【請求項１】
調理容器を載置するトッププレートを上面に有するケーシングと、
前記ケーシング内に設けられて前記調理容器を加熱する誘導磁界を発生させる誘導加熱コイルと、
前記誘導加熱コイルに高周波電流を供給する高周波電流供給回路と、
前記ケーシングの後部から導出されて、外部電源から前記高周波電流供給回路に電力を供給する電源コードと、
前記高周波電流供給回路で発生して前記電源コードから出るノイズを抑制するノイズフィルタとを備えた誘導加熱調理器であって、
前記ケーシングの後部外側には前記ケーシングの外壁に接触した状態で前記ノイズフィルタを配設したことを特徴とする誘導加熱調理器。
【請求項２】
請求項１に記載の誘導加熱調理器において、
前記ケーシングの底部には前記トッププレートを所定の高さに位置するようにした脚部を設け、前記ケーシングの後部には前記ケーシングの底壁に接触した状態で前記ノイズフィルタを配設したことを特徴とする誘導加熱調理器。
【請求項３】
請求項２に記載の誘導加熱調理器において、
前記ノイズフィルタまたは前記ケーシングに磁石を設け、前記磁石の磁力によって前記ノイズフィルタを前記ケーシングの底壁に取り付けたことを特徴とする誘導加熱調理器。
【発明の詳細な説明】
【技術分野】
【０００１】
本発明は、誘導磁界によって調理容器を発熱させて食材を加熱調理する誘導加熱調理器に関する。
【背景技術】
【０００２】
下記の特許文献１には厨房内のカウンターに設置される誘導加熱調理器が開示されている。誘導加熱調理器は、鍋等の調理容器を載置するトッププレートを上面に有するケーシングと、ケーシング内に設けられて鍋等の調理容器を加熱する誘導磁界を発生させる誘導加熱コイルと、誘導加熱コイルに高周波電流を供給する高周波電流供給回路と、ケーシングの後部から導出されて、外部電源から高周波電流供給回路に電力を供給する電源コードと、ケーシング内に設けられて高周波電流供給回路で発生して電源コードから出るノイズを抑制するノイズフィルタとを備えている。
【０００３】
トッププレートの上面に食材を入れた鍋等の調理器具を載置して調理スイッチをオンすると、高周波電流供給回路には外部電源から電源コードによって電力が供給され、高周波電流供給回路から誘導加熱コイルに高周波電流が供給され、トッププレートの上面には誘導磁界が発生する。トッププレートに載置した鍋等の調理器具には誘導磁界によって渦電流が流れるときの電気抵抗によりジュール熱が発生し、トッププレートに載置した鍋等の調理器具内の食材が加熱調理される。高周波電流供給回路から誘導加熱コイルに高周波電流を供給したときに、高周波電流供給回路で発生したノイズは電源コードを伝搬するが、ノイズはノイズフィルタにより低減され周囲に影響を及ぼさないようになっている。
【先行技術文献】
【特許文献】
【０００４】
【特許文献１】特開２０１２−１５０８９２号公報
【発明の概要】
【発明が解決しようとする課題】
【０００５】
上述した特許文献１に記載の誘導加熱調理器においては、ケーシング内に高周波電流供給回路で発生して電源コードから出るノイズを抑制するノイズフィルタが設けられている。このような誘導加熱調理器では、ノイズに対する規格が変更になって大型のノイズフィルタを搭載する必要が生じたときや、誘導加熱調理器を小型化したときに、ケーシング内にノイズフィルタを収容できないことがあった。本発明は、大型のノイズフィルタを搭載する必要が生じたり、誘導加熱調理器を小型化してケーシング内にノイズフィルタを収容できないときに、ノイズフィルタをケーシングの外側で適切な位置に配置することを目的とする。
【課題を解決するための手段】
【０００６】
上記課題を解決するために、本発明は、調理容器を載置するトッププレートを上面に有するケーシングと、ケーシング内に設けられて調理容器を加熱する誘導磁界を発生させる誘導加熱コイルと、誘導加熱コイルに高周波電流を供給する高周波電流供給回路と、ケーシングの後部から導出されて、外部電源から高周波電流供給回路に電力を供給する電源コードと、高周波電流供給回路で発生して電源コードから出るノイズを抑制するノイズフィルタとを備えた誘導加熱調理器であって、ケーシングの後部外側にはケーシングの外壁に接触した状態でノイズフィルタを配設したことを特徴とする誘導加熱調理器を提供するものである。
【０００７】
上記のように構成した誘導加熱調理器においては、ケーシングの後部外側にはケーシングの外壁に接触した状態でノイズフィルタを収容したフィルタボックスを配設したので、ケーシングの大きさに関わらず、ノイズフィルタを配設することができるようになった。
【０００８】
上記のように構成した誘導加熱調理器においては、ケーシングの底部にはトッププレートを所定の高さに位置するようにした脚部を設け、ケーシングの後部にはケーシングの底壁に接触した状態でフィルタボックスを配設してもよい。また、この場合において、フィルタボックスまたはケーシングに磁石を設け、磁石の磁力によってフィルタボックスをケーシングの底壁に取り付けてもよい。
【図面の簡単な説明】
【０００９】
【図１】第１実施形態の誘導加熱調理器の斜視図である。
【図２】図１の内部構造が見えるようにした分解図である。
【図３】図１の右側面図である。
【図４】第２実施形態の誘導加熱調理器の右側面図である。
【図５】図４の後面図である。
【発明を実施するための最良の形態】
【００１０】
以下、本発明の誘導加熱調理器の一実施形態を添付図面を参照して説明する。
（第１実施形態）
図１及び図２に示したように、第１実施形態の誘導加熱調理器１０は、厨房のカウンター等の設置面に設置されて鍋等の調理容器に入れた食材を加熱調理するものであり、鍋等の調理容器を載置するトッププレート１２を上面に有したケーシング１１と、ケーシング１１内にて調理容器を加熱するために誘導磁界を発生させる誘導加熱コイル２０と、誘導加熱コイル２０に高周波電流を供給するインバータ回路（高周波電流供給回路）２１と、インバータ回路２１を冷却する冷却ファン２２とを備えている。
【００１１】
図１〜図３に示したように、ケーシング１１はトッププレート１２を含めて略直方体形状をし、ケーシング１１はトッププレート１２を除いてステンレス材を成形加工したものである。ケーシング１１の底壁１１ａ下面の四隅部には脚部１３が設けられている。脚部１３はケーシング１１の底壁１１ａと設置面の間に空気が通過する隙間を設けることを目的としたものである。また、脚部１３はケーシング１１の底部に高さ調整可能に設けられており、脚部１３の高さ調整により、ケーシング１１の上面（トッププレート１２）の高さを調理人の所望の高さまたは隣接する他の機器の高さと同じ高さに調整可能としている。
【００１２】
図２に示したように、ケーシング１１の底壁１１ａの前部には外気の吸込口１１ａ１が形成されており、吸込口１１ａ１はフィルタ１４によって通風可能に覆われている。ケーシング１１の後壁１１ｂには空気を外側に排出する排気口１１ｂ１が形成されており、排気口１１ｂ１はフィルタ（図示省略）によって通風可能に覆われている。また、トッププレート１２の後端部はケーシング１１の後壁１１ｂよりも少し後側に突き出ており、ケーシング１１の後壁１１ｂが設置した厨房の壁面との間で所定の間隔が保持されるようにして、ケーシング１１の後壁１１ｂの排気口１１ｂ１が塞がれないようになっている。
【００１３】
図３に示したように、ケーシング１１の後部には外部電源に接続される電源コード２３が導出されており、電源コード２３は外部電源からインバータ回路２１及び冷却ファン２２に電力を供給している。また、ケーシング１１の後部外側にはノイズフィルタ２４が配設されている。ノイズフィルタ２４はインバータ回路２１で発生して電源コード２３から出るノイズを抑制するものであり、ケーシング１１の外側で電源コード２３に介装されている。ノイズフィルタ２４は金属製の筐体２４ａを有しており、筐体２４ａはステンレス製のケーシング１１の後壁（外壁）１１ｂに接触した状態で設置されている。
【００１４】
上記のように構成した誘導加熱調理器１０においては、トッププレート１２の上面に食材を入れた鍋等の調理器具を載置して調理スイッチをオンすると、インバータ回路２１には外部電源から電源コード２３によって電力が供給され、インバータ回路２１から誘導加熱コイル２０に高周波電流が供給され、トッププレート１２の上面には誘導磁界が発生する。トッププレート１２に載置した鍋等の調理器具には誘導磁界によって渦電流が流れるときの電気抵抗によりジュール熱が発生し、トッププレート１２に載置した鍋等の調理器具内の食材が加熱調理される。インバータ回路２１から誘導加熱コイル２０に高周波電流を供給したときに、インバータ回路２１で発生したノイズは電源コード１２を伝搬するが、ノイズはケーシング１１の後部外側に配設したノイズフィルタ２４により低減され周囲に影響を及ぼさないようにすることができた。
【００１５】
上記のように構成した誘導加熱調理器１０においては、ケーシング１１の後部外側にてケーシング１１の後壁（外壁）１１ｂに接触した状態でノイズフィルタ２４を配設したので、ケーシング１１の大きさに関わらず、ノイズフィルタ２４を配設することができるようになった。また、ノイズフィルタ２４の金属製筐体２４ａはステンレス製のケーシング１１に接触しているので、ノイズフィルタ２４で除去されたノイズを金属製筐体２４ａを介してケーシング１１にグラウンドさせることができ、ノイズフィルタ２のノイズの除去効率を高くすることができた。さらに、この種の誘導加熱調理器１０においては、ケーシング１１の後壁１１ｂに排気口１１ｂ１が設けられているので、トッププレート１２の後端部がケーシング１１の後壁１１ｂよりも後側に突き出るようになっていて、ケーシング１１の後壁１１ｂの後側には設置場所となる厨房の壁面に十分な空間が形成されるようになっている。このため、この誘導加熱調理器１０では、排気のために十分な空間が形成されたケーシング１１の後部外側にノイズフィルタ２４を配設したので、ケーシング１１の後部外側で邪魔になることなくノイズフィルタ２４を配設することができた。
【００１６】
（第２実施形態）
第１実施形態の誘導加熱調理器１０は、厨房のカウンター等の設置面に設置されるものであるが、図４に示したように、第２実施形態の誘導加熱調理器１０は、厨房の床面に設置されるものであって、ケーシング１１の底部にトッププレート１２を所定の高さに位置するようにした長い脚部１３を設けたものである。第２実施形態のように、誘導加熱調理器１０を長い脚部１３を用いて厨房の床面に設置するようにしたものでは、ケーシング１１の底壁１１ａの下側に十分なスペースが確保されている。このため、第２実施形態の誘導加熱調理器１０では、図４及び図５に示したように、ケーシング１１の後部には底壁１１ａに接触した状態でノイズフィルタ２４を配設している。図５に示したように、ノイズフィルタ２４には磁石２４ｂを設け、磁石２４ｂの磁力によってノイズフィルタ２４をケーシング１１の底壁１１ａに取り付けたものである。なお、ケーシング１１の底壁１１ａに磁石を取り付け、磁石の磁力によってノイズフィルタ２４をケーシング１１の底壁１１ａに固定したものであってもよい。
【００１７】
また、ノイズフィルタ２４を磁石２４ｂの磁力によって取り付けたものに限られるものでなく、ノイズフィルタ２４の左右両側にフランジを設け、ケーシング１１の底壁１１ａの下面にフランジに係合するフックを設け、フランジをフックに係合させることで、ノイズフィルタ２４をケーシング１１の底壁１１ａに取り付けたものであってもよいし、ノイズフィルタ２４をねじによってケーシング１１の底壁１１ａの下面に取り付けたものであってもよい。第２実施形態の誘導加熱調理器１０においても、上述した第１実施形態と同様に、ケーシング１１の後部外側にてケーシング１１の外壁に接触した状態でノイズフィルタ２４を配設したので、ケーシング１１の大きさに関わらず、ノイズフィルタ２４を配設することができるようになった。
【００１８】
上記の実施形態のノイズフィルタ２４は三層入力のものに限られるものでなく単相入力のものであってもよい。
【符号の説明】
【００１９】
１０…誘導加熱調理器、１１…ケーシング、２０…誘導加熱コイル、２１…高周波電流供給回路（インバータ回路）、２３…電源コード、２４…ノイズフィルタ。
【図１】
2019023978.tif 000003
【図２】
2019023978.tif 000004
【図３】
2019023978.tif 000005
【図４】
2019023978.tif 000006
【図５】
2019023978.tif 000007